(57)【特許請求の範囲】
【請求項１】
建築物制振装置が天井裏に設置された建築物であって、
該建築物制振装置は、
ベースに対し積層ゴム及び振動減衰材を介してウェイトを水平方向に変位可能に支持し、該ウェイトを中立位置に向けて付勢するバネを設けた建築物制振装置であり、
該ウェイトを直交するＸ方向及びＹ方向の２方向に変位可能とすると共に、
該バネとして該Ｘ方向にウェイトを付勢する第１のバネと、該Ｙ方向にウェイトを付勢する第２のバネとを設けてなり、
前記ベースは板状であり、前記ウェイトは該ベースの上方に配置された盤状体よりなり、
前記ウェイトは４辺を有した方形であり、該ウェイトの各辺の外側に沿って前記バネとしてコイルバネが配置されている
建築物制振装置であり、
前記ベースの上側に該ベースと平行に方形のトッププレートが配置されており、
該トッププレートに前記ウェイトが取り付けられており、
該トッププレートが前記積層ゴム及び前記振動減衰材を介してベースに支持されており、
該トッププレートの４辺の各辺から１対のサイドブラケットが側外方に突設され、
該サイドブラケットの中間の位置にセンターブラケットが配置され、
該センターブラケットは前記ベースに固定されており、該センターブラケットと各サイドブラケットとの間にそれぞれ前記コイルバネが架け渡されていることを特徴とする建築物。
【請求項２】
請求項１において、ウェイトの重量が建築物重量の０．５〜２％であることを特徴とする建築物。
【発明の詳細な説明】
【０００１】
【発明の属する技術分野】
本発明は建築物に係り、特に住宅の交通振動や地震、風などによる振動を制振する建築物制振装置を備えた建築物に関する。
【０００２】
【従来の技術】
この種の従来の建築物制振装置として、特開平８−１２８２２９号公報に記載のものがある。同号公報の建築物制振装置においては、長尺板状のウェイトの両端にベースブラケットを配置し、該ウェイトを各ベースブラケットに対しウェイト長手方向に往復動可能とし、両者の間に積層ゴム、減衰材及び引張コイルバネを介設したものである。該コイルバネはウェイトの両端に配置され、ウェイトに長手方向の変位が生じたときにウェイトに対し中立位置へ復位する方向に引張力を与える。このコイルバネを設けることにより、ウェイトの水平方向の固有振動数を調整することができる。
【０００３】
【発明が解決しようとする課題】
上記従来の建築物制振装置は、ウェイト長手方向の振動の制振を行うことができるが、これと直交方向の振動を制振することはできない。
【０００４】
本発明は水平方向の全方位に対する振動を制振することができる建築物制振装置を備えた建築物を提供することを目的とする。
【０００５】
【課題を解決するための手段】
本発明の建築物は、建築物制振装置が天井裏に設置された建築物であって、該建築物制振装置は、ベースに対し積層ゴム及び振動減衰材を介してウェイトを水平方向に変位可能に支持し、該ウェイトを中立位置に向けて付勢するバネを設けた建築物制振装置であり、該ウェイトを直交するＸ方向及びＹ方向の２方向に変位可能とすると共に、該バネとして該Ｘ方向にウェイトを付勢する第１のバネと、該Ｙ方向にウェイトを付勢する第２のバネとを設けてなり、前記ベースは板状であり、前記ウェイトは該ベースの上方に配置された盤状体よりなり、前記ウェイトは４辺を有した方形であり、該ウェイトの各辺の外側に沿って前記バネとしてコイルバネが配置されている建築物制振装置であり、前記ベースの上側に該ベースと平行に方形のトッププレートが配置されており、該トッププレートに前記ウェイトが取り付けられており、該トッププレートが前記積層ゴム及び前記振動減衰材を介してベースに支持されており、該トッププレートの４辺の各辺から１対のサイドブラケットが側外方に突設され、該サイドブラケットの中間の位置にセンターブラケットが配置され、該センターブラケットは前記ベースに固定されており、該センターブラケットと各サイドブラケットとの間にそれぞれ前記コイルバネが架け渡されていることを特徴とするものである。
【０００６】
かかる建築物の建築物制振装置によれば、Ｘ方向及びＹ方向の振動を制振でき、従ってＸ方向とＹ方向と組み合わせた水平全方位の振動を制振することができる。
【０００７】
本発明では、ベースは板状であり、前記ウェイトは該ベースの上方に配置された盤状体よりなる。ウェイトは４辺を有した方形であり、該ウェイトの各辺の外側に沿って前記バネとしてコイルバネが配置されている。この建築物制振装置は、装置高さが低いので、高さの小さい天井裏スペースにも設置することができる。
【０００８】
【発明の実施の形態】
以下、図面を参照して実施の形態について説明する。図１は実施の形態に係る建築物に用いられる建築物制振装置を示す斜視図、図２（ａ）はこの建築物制振装置の平面図、図２（ｂ）は側面図である。
【０００９】
この建築物制振装置１０は、ベース１２と、該ベース１２の上側に該ベース１２と平行に対面配置されたトッププレート１４と、該トッププレート１４上にボルト１６によって固定されたウェイト２０を備えている。このウェイト２０には吊金具１８が螺着されている。
【００１０】
この建築物制振装置１０は、さらに該トッププレート１４とベース１２との間に配置され該トッププレート１４を支承している積層ゴム３０と、該トッププレート１４とベース１２との間に介在され両者に接合されている振動減衰材４０と、ウェイト２０の水平方向の固有振動数を調整するためのコイルバネ５０等を備えている。
【００１１】
この実施の形態においては、トッププレート１４及びウェイト２０は方形である。トッププレート１４の４辺の各辺から１対のサイドブラケット５２が側方に突設され、該１対のサイドブラケット５２，５２の中間の位置にセンターブラケット５４が配置されている。このセンターブラケット５４はベース１２に対しボルト５６によって固定されている。
【００１２】
各サイドブラケット５２には２個のフックボルト５８がナット６０によって取り付けられており、各フックボルト５８とセンターブラケット５４との間に前記コイルバネ５０が架け渡されている。
【００１３】
前記積層ゴム３０は、トッププレート１４にボルトによって固定された上フランジ３２と、ベース１２に固定された下フランジ３４と、これらのフランジ３２，３４間に介在された複数層のゴム層と鉄板層との積層体３６とからなる。この積層ゴム３０は、ウェイト２０及びトッププレート１４の荷重を支承している。この積層体のゴム層は、水平応力が加えられたときに水平方向に変形し、このウェイト２０及びトッププレート１４の水平方向の変位（振動）を許容する。
【００１４】
振動減衰材４０は、このトッププレート１４及びウェイト２０の水平振動を減衰させるためのものであり、その上面及び下面はトッププレート１４とベース１２とに対し接着等により固定されている。
【００１５】
この振動減衰材４０としては、剛性が小さく且つ減衰が大きいゲル状のものが好ましい。このゲル状の振動減衰材であれば、液体ダンパのような液漏れのおそれがない。この振動減衰材は、減衰量が５〜２０％程度のものが好ましい。減衰量が５％未満であると、減衰効果が乏しくなり、２０％超であるとウェイト２０が動きにくくなりやはり減衰効果が乏しくなる。
【００１６】
なお、図示はしないが、ウェイト２０の過大変位を阻止するためのストッパ機構を設けても良い。
【００１７】
このように構成された建築物制振装置１０は、例えば建築物の梁７０間に架設された水平アングル７２上にボルトによって固定設置される。この建築物制振装置のウェイト２０は盤状であり、建築物制振装置の装置高さが低いので、高さの小さい天井裏スペースにもこの建築物制振装置を設置することができる。
【００１８】
この建築物に交通振動、風、地震による揺れ等の振動が作用すると、ウェイト２０がベース１２に対し相対的に該振動とは逆方向に変位する振動を行い、これにより建築物の振動を小さくすることができる。
【００１９】
この実施の形態にあっては、ウェイト２０が水平方向の全方位に変位可能であると共に、コイルバネ５０が水平Ｘ方向（図２（ａ）の左右方向）及び水平Ｙ方向（図２（ａ）の上下方向）の直交２方向に配置されているので、建築物に生ずる水平全方位の振動を減衰させることができる。
【００２０】
この場合、コイルバネ５０をバネ定数の異なるものに変更したり、コイルバネ５０の本数を変更することにより、ウェイト２０の固有振動数を調整することができる。また、Ｘ方向及びＹ方向の固有振動数を別々に調整することもできる。例えば、平面視形状が長方形状の建築物にこの建築物制振装置を設置する場合、該長方形の長手方向の固有振動数を短手方向の固有振動数よりも大きくとることができる。
【００２１】
なお、本発明の建築物では、ウェイト２０の重量を建築物重量の０．５〜２％程度とすることが好ましい。ウェイト重量が建築物重量の０．５％未満であると制振効果が乏しくなり、２％超であると重くなりすぎ建築物制振装置の設置に支障が生じ易くなる。
【００２２】
図示のウェイト２０は、平面視形状が方形となっている。
【００２３】
【発明の効果】
以上の通り、本発明の建築物に設けられた建築物制振装置は水平全方向の振動を減衰させることができる。また、各方向において固有振動数を調整することもできる。
【図面の簡単な説明】
【図１】  実施の形態に係る建築物の建築物制振装置の斜視図である。
【図２】  実施の形態に係る建築物の建築物制振装置の平面図と側面図である。
【符号の説明】
１０  建築物制振装置
１２  ベース
１４  トッププレート
２０  ウェイト
３０  積層ゴム
４０  振動減衰材
５０  コイルバネ
５２  サイドブラケット
５４  センターブラケット
【図１】
0003684845.tif 000002
【図２】
0003684845.tif 000003